(57)【要約】【課題】各宛先毎の送信スタートスピード設定が煩雑であり、また一旦設定した各宛先毎の送信スタートスピードを相手先能力や回線環境に従って変更させる必要がある。【解決手段】各宛先登録時に設定する送信スタートスピードの初期値を、装置設定として登録された送信スタートスピードに一律に設定する。さらに、各宛先毎に設定した送信スタートスピードを所望の値に変更することもできる。【選択図】図４
2017135662.tif 000002
【特許請求の範囲】
【請求項１】
初期通信速度の既定値を登録する登録手段と、
宛先ごとに対応する初期通信速度を設定する設定手段と、
前記初期通信速度が設定された宛先が送信先として指定された場合には、前記宛先に対応する初期通信速度でファクシミリ送信し、前記初期通信速度が設定されていない宛先が送信先として指定された場合には、前記登録手段により登録された前記初期通信速度の既定値でファクシミリ送信する送信手段とを有し、
前記設定手段は、新規に登録する宛先に対応する初期通信速度の初期値として、前記登録手段により登録された前記初期通信速度の既定値を設定することを特徴とするファクシミリ装置。
【請求項２】
前記設定手段により新規の宛先を登録する際には、前記新規の宛先に対応する初期通信速度の初期値として、前記登録手段により登録された前記初期通信速度の既定値を表示するユーザインターフェースを更に有することを特徴とする請求項１に記載のファクシミリ装置。
【請求項３】
前記設定手段は、さらに、宛先ごとに、該宛先に対応する初期通信速度を変更することができることを特徴とする請求項１又は２に記載のファクシミリ装置。
【請求項４】
前記登録手段は、前記送信手段が用いることができる初期通信速度の選択肢のなかから選択された初期通信速度を、前記初期通信速度の既定値として登録することを特徴とする請求項１乃至３のいずれか一項に記載のファクシミリ装置。
【請求項５】
前記宛先ごとに対応する初期通信速度は、宛先を登録できるアドレス帳の一部として設定されることを特徴とする請求項１乃至４のいずれか一項に記載のファクシミリ装置。
【請求項６】
前記設定手段は、前記新規に登録する宛先に対応する初期通信速度の初期値として、前記登録手段により登録された前記初期通信速度の既定値を用いることを示す情報を設定し、
前記送信手段は、前記情報が設定された宛先へのファクシミリ送信の際には、前記登録手段により登録された前記初期通信速度の既定値を前記初期通信速度として用いることを特徴とする請求項１乃至５のいずれか一項に記載のファクシミリ装置。
【請求項７】
原稿を読み取る読取手段をさらに有し、
前記送信手段は、前記読取手段によって読み取られた原稿の画像データをファクシミリ送信することを特徴とする請求項１乃至６のいずれか一項に記載のファクシミリ装置。
【請求項８】
初期通信速度の既定値を登録する登録工程と、
宛先ごとに対応する初期通信速度を設定する設定工程と、
前記初期通信速度が設定された宛先が送信先として指定された場合には、前記宛先に対応する初期通信速度でファクシミリ送信し、前記初期通信速度が設定されていない宛先が送信先として指定された場合には、前記登録工程により登録された前記初期通信速度の既定値でファクシミリ送信する送信工程とを有し、
前記設定工程では、新規に登録する宛先に対応する初期通信速度の初期値として、前記登録工程により登録された前記初期通信速度の既定値を設定することを特徴とするファクシミリ装置の制御方法。
【請求項９】
初期通信速度の既定値を登録する登録工程と、
宛先ごとに対応する初期通信速度を設定する設定工程と、
前記初期通信速度が設定された宛先が送信先として指定された場合には、前記宛先に対応する初期通信速度でファクシミリ送信し、前記初期通信速度が設定されていない宛先が送信先として指定された場合には、前記登録工程により登録された前記初期通信速度の既定値でファクシミリ送信する送信工程とをコンピュータにより実行させるためのプログラムであって、
前記設定工程では、新規に登録する宛先に対応する初期通信速度の初期値として、前記登録工程により登録された前記初期通信速度の既定値を設定することを特徴とするプログラム。
【発明の詳細な説明】
【技術分野】
【０００１】
ファクシミリ手順で画像を伝送するファクシミリ装置に関するもので、詳しくは、送信宛先毎に送信スタートスピードを設定する手段に関する。
【背景技術】
【０００２】
ファクシミリ手順で画像伝送するファクシミリ装置において、送信時に毎回送信先の宛先（電話番号）をセットするのではなく、予め宛先を装置内に記憶しておき、記憶した宛先のうちから送信したい宛先を選択してセットする方法が用いられる。これにより、送信操作を簡略化できると共に、電話番号を手動でセットした時の押し間違いによる誤送信も防止できる。この宛先を設定したリストをアドレス帳と呼ぶ。このアドレス帳には、宛先（電話番号）だけではなく、宛先ごとのその他の各種設定も含まれる場合がある。この各種設定の中に、送信スタートスピードがある。これは各宛先毎に、ファクシミリ送信する時の初期スピードである。G3ファクシミリ送信は、2400bpsから33600bpsまでの下記のスピードが規定されている。
・ITU-T勧告  V.34  33600bps、31200bps、・・・（2400bps刻み）・・、2400bps
・ITU-T勧告  V.17  14400bps、12000bps、9600bps、7200bps
・ITU-T勧告  V.29  9600bps、7200bps、4800bps
・ITU-T勧告  V.27ter  4800bps、2400bps。
【０００３】
それぞれのVシリーズ勧告の差は、変調方式やトレリス、ビタビコーディング手法を用いているかである。それによって通信の確実さも変わるが、概ねスピードが速くなるほど通信の確実度が下がる。送信スタートスピードの選択肢は、V.34では33600bps、V.17では14400bps、V.29では9600bps、V.27terでは4800bpsになる。これは、各変調方式の代表的なレートを選べるようにしているためで、やはり、V.34＜V.17＜V.29＜V.27terの順に通信が通り易くなる。また、V.34、V.17、V.29の採用はオプションであり、機種によっては対応していないものがある。このオプションの有無はファクシミリ手順での能力交換で示され、送受信双方で持っている最大のスピードで通信できる仕組みになっている。
【０００４】
通信経路の状況（回線品質（歪み、ノイズなど））によって通信速度や通信のエラー確率は左右される。例えば、送受信機双方ともにV.17の能力を持っていたとしても、回線品質が良くなければ通信エラーが発生し、V.17での通信ができない場合がある。更に、送信したい相手先装置までの経路に置かれた構内交換機（PBX）などの設定や能力にも通信速度や通信のエラー確率は左右される。例えば、送受信機双方がV.17の能力を持っていたとしても、間に置かれた構内交換機（PBX）の設定や能力によっては、通信エラーが発生し、V.17での通信ができない場合がある。G3ファクシミリ送信では、V.17の能力を送受信機が持っていたとしても、回線品質が良くない状態でありV.17のスピードで通信できない場合に、V.17で通信するとデータエラーが発生し下記の問題が起こる。
（１）非ECM送信の場合、画像が欠落する。
（２）ECM送信では、エラーした画像を再送するため通信時間が延びる。
（３）データエラーが多発すると通信自体がエラー終了するリスクが高まる。
上記問題を避けるためにV.17、V.29、V.27terでは画像伝送に先立ってTCFというテストデータを送信して、それが正確に受信できなければ速度を一段階ずつ落としていく手順（フォールバック手順）がある。またV.34では画像伝送に先立って回線品質を検出するline Proving手順があり、回線品質によって最適な伝送速度を決定する。しかしながら以下の問題がある。
（４）TCFとフォールバックを繰り返して最適な速度を決定するには時間が掛る。また、TCFの送信時間は1.6sしかないのでTCFは正常に通っても、画像伝送でエラーする事がある。V.34に関してもline Proving手順で決定した速度が妥当でなかった場合にはV.17と同容易画像伝送エラーが多発するので、（１）〜（３）の問題をなくすことはできない。
【０００５】
なおECM通信と非ECM通信とはそれぞれ以下のような特徴がある。
G3ファクシミリ通信では、ECM通信が定義されている。ECMとはError Collection Modeの略で、送信側で画像データからある決められた計算式で計算された値（冗長データ）を出し、これを画像データと共に送信する。そして、受信側では、受信した画像データから送信側と同じ計算式で計算された値を出し、これと送信されてきた送信側で計算された値（冗長データ）を比較する。その結果一致していれば、通信を継続するが、不一致の場合には、画像データを再送信する手順である。非ECM通信はこの様な冗長データを用いた再送を行わない通信であり、この場合画像の再送がないため、エラーした場合画像が欠落する。
【０００６】
そこで、予め宛先毎に送信スタートスピードを設定できるようになっている装置が提案されている（たとえば特許文献１、２等参照）。例えば、通信相手との通信経路では予め送信可能なスピードが分かっていれば、宛先に対する送信スタートスピードをその送信可能なスピードに設定することで、上記のようなデータエラーを改善できる送信速度で通信できる。また、送信スタートスピードは、アドレス帳の個々の宛先ではなく、宛先に関わらず適用される装置設定としても登録できる（特許文献３等参照）。送信スタートスピードの装置設定は、アドレス帳から宛先を選択しない場合、たとえば、ユーザが番号を入力して宛先を指定する場合やＰＣなどの外部機器から送信を指示された場合などに、送信スタートスピードとして用いられる。なお番号を直接入力して指定する宛先をリスト外宛先と呼ぶことにする。装置設定として登録された送信スタートスピードは個別に送信スタートスピードを設定可能なアドレス帳からの送信には適用されない。
【先行技術文献】
【特許文献】
【０００７】
【特許文献１】特開昭62-100074号公報
【特許文献２】特開平2-277344号公報
【特許文献３】特開平11-122453号公報
【発明の概要】
【発明が解決しようとする課題】
【０００８】
先に説明したように、アドレス帳の個々の宛先に関して、送信スタートスピードを設定する、例えば特許文献１に記載されたような技術がある。しかしながら、宛先設定時に選択する送信スタートスピードの初期値は一定の値（例えば、最も高速である33600bps）となっている。前述したように、ユーザの回線環境、例えば使用している構内交換機（PBX）の仕様や、その設定内容（音声のデジタルコーデック手段の設定）などにより、通信可能速度が9600bpsなどの低速に制限される場合がある。このような環境でアドレス帳の個々の宛先登録する場合、送信スタートスピードの初期値が33600bpsに固定されていると、いちいち送信スタートスピードを9600bpsに変更しなければならず、設定が煩雑であった。
【０００９】
本発明は上記従来例に鑑みて成されたものである。その目的は、宛先の設定時に送信スタートスピードを個々に設定する煩雑さの解消と、送信相手先や送信・受信環境に違いによる送信スタートスピードの適合を容易に行わせることである。
【課題を解決するための手段】
【００１０】
上記課題を解決するために、本発明は以下の構成を有する。
【００１１】
初期通信速度の既定値を登録する登録手段と、
宛先ごとに対応する初期通信速度を設定する設定手段と、
前記初期通信速度が設定された宛先が送信先として指定された場合には、前記宛先に対応する初期通信速度でファクシミリ送信し、前記初期通信速度が設定されていない宛先が送信先として指定された場合には、前記登録手段により登録された前記初期通信速度の既定値でファクシミリ送信する送信手段とを有し、
前記設定手段は、新規に登録する宛先に対応する初期通信速度の初期値として、前記登録手段により登録された前記初期通信速度の既定値を設定することを特徴とするファクシミリ装置。
【発明の効果】
【００１２】
本発明によれば、宛先ごとの送信スタートスピードを個々に設定する煩雑さを解消出来る。また、設定した個々の宛先の送信スタートスピードを変更できるため、環境や相手機に依存する送信スタートスピードを設定できる効果がある。
【図面の簡単な説明】
【００１３】
【図１】実施形態における通信装置の概略構成図
【図２】実施形態における新規宛先や外部機器からの送信指示時に用いる装置に設定する送信スタートスピード設定画面を示す図
【図３】（ａ）実施形態におけるアドレス帳への宛先登録画面を示す図、（ｂ）実施形態におけるアドレス帳への宛先設定の詳細設定画面を示す図
【図４】実施形態におけるアドレス帳の編集のフローチャート
【図５】実施形態におけるアドレス帳宛先のリスト表示画面を示す図
【図６】実施形態におけるアドレス帳宛先の編集画面を示す図
【発明を実施するための形態】
【００１４】
以下、本発明を実施するための最良の形態について図面を用いて説明する。
＜ファクシミリ装置の構成＞
図１は本発明で用いる通信装置の概略構成図を示す。
同図において通信装置1000は例えばファクシミリ装置である。CPU101はROM105に格納された制御プログラムに基づいて通信装置における各デバイスを制御する。表示／操作部102の表示画面には、例えばウインドウ、アイコン、メッセージ、メニューその他のユーザインターフェース情報が表示される。表示/操作部102は、図示は省略するが、ユーザがコピー、ファクシミリ（FAX）、プリンタ操作を行うための各種キーや、表示画面上のアイコン、メニューなどを操作する画面ポインティングデバイスから構成される。ユーザは表示/操作部102に表示されたユーザインターフェース上で、たとえばアドレス帳の編集や、ファクシミリ送信のための操作を行うことができ、その操作に応じてたとえばアドレス帳の編集や、ファクシミリ送信が行われる。スキャナ部103は原稿の読み取りを行う読取部として機能する。印刷部104はHDD（ハードディスクドライブ）107に保存した印刷データの印刷を行う。印刷データはファクシミリ通信で受信した画像データを含む。ROM105は、各種制御プログラムやデータを保持する。RAM106はCPU101のワーク領域、エラー処理時のデータの退避領域、制御プログラムのロード領域などに利用される。HDD107は、例えば図４の手順などの各種制御プログラムや印刷データを保存する。また、通信装置で通信する通信宛先として、予め宛先を登録するアドレス帳1072があるが、このアドレス帳は、RAM106やHDD107に記憶される（図１ではHDD107に記憶されている）。更に、履歴情報なども、RAM106やHDD107に記憶される。また装置設定として登録された送信スタートスピード1071もRAM106やHDD107に格納される（図１ではHDD107）。
【００１５】
通信制御部108は、その内部に変復調器（モデム）を有し、接続された公衆網（PSTN網1010）との間で音声信号によるファクシミリ（FAX）通信を制御するものである。PSTN網1010を通じて通信相手である通信装置2000が接続される。PSTN網1010内には、図示していないが少なくとも１つ以上の交換機が含まれていて、通信装置1000の着信時には、この交換機から相手先（通信装置 2000）の電話番号（発信者番号）の通知を受けることが可能である。
【００１６】
この構成において、FAX通信（送受信）はCPU101によるソフト制御で行われる。FAX送信では、表示／操作部102で送信宛先を入力し送信指示があると、CPU101はスキャナ部103に置かれた原稿を読み込み、読み込んだデータを一旦HDD107へ格納する。次にCPU101は通信制御部108へ指定された送信宛先へ発呼要求を出し、相手と接続されると、FAXプロトコルでのFAX通信を開始し、通信が終了すると相手との接続を切断する。
【００１７】
FAX受信では、PSTN網1010からの着信信号を受け、これが通信制御部108からCPU101に伝えられ、CPU101は通信制御部108へ接続要求を出し、これを受けた通信制御部108は、送信相手と接続する。次にCPU101は、通信制御部108を通じてFAXプロトコルによるFAX通信を開始し、受信した画像データを順次HDD107へ格納する。通信が終了すると、CPU101は、通信制御部108へ切断要求を出し、これを受けた通信制御部108は、相手との接続を切断する。更にCPU108は、HDD107に格納した受信画像を、印刷部104へ印刷指示し、印刷部104はこの画像を記録紙へ印刷する。
【００１８】
＜送信スタートスピードの装置設定＞
図２から図４を用いて、本発明の目的である、宛先登録時の送信スタートスピード（初期通信速度とも呼ぶ。）設定の簡易化について述べる。図２のユーザインターフェースは、たとえば操作／表示部（すなわち操作パネル）102の初期画面から、所定の操作シーケンスで送信スタートスピードの設定を選択することで表示される。
【００１９】
図２は、新規宛先や外部からのファクシミリ送信要求時に採用される、装置単位の送信スタートスピードの設定画面である。図２で登録される送信スタートスピードは、ファクシミリ装置の送信スタートスピードの既定値として扱われる。図２の設定画面すなわちユーザインターフェースにおいて、アドレス帳の個々の宛先ではなく、装置設定として送信スタートスピードを設定できる。ファクシミリ送信時に送信先として指定される宛先は、アドレス帳のように予め登録した宛先を使用する場合と、宛先を直にテンキーで打ち込む新規宛先がある。アドレス帳の各宛先には送信スタートスピードを設定するが、この新規宛先の場合には個々に送信スタートスピードは設定しない。これは、新規宛先の送信操作を複雑にせず簡単化するためや、新規宛先の場合は、過去にそこへの送信したことがなく、相手先までの経路の回線品質が分からず、どのスピードに設定すればよいか分からないためである。このように個別に送信スタートスピードを設定しない場合でも、装置としての送信スタートスピードの設定は、自装置が置かれている回線環境（交換機からの距離やPBXなどの仕様、設定など）によってスピードが制限される場合があるため必要になる。例えば、自装置が置かれている環境が14400bpsでしか通信できないものであった場合には、送信スタートスピードが設定できない新規宛先でも装置として送信スタートスピードを制限しないと、前述した通信エラーが発生してしまう。そこで装置としての送信スタートスピードの設定を設けて、個別に送信スタートスピードを設定出来ない新規宛先への送信等で使用する事が一般的である。ここで行った設定は個別に送信スタートスピードを設定可能なアドレス帳からの送信には適用されない。更に、宛先に送信スタートスピードが設定されない場合としては、PCなどの外部機器から宛先を指示された送信などもある。この場合も、装置の送信スタートスピードを設定しないと同様に通信エラーになってしまう。
【００２０】
この装置設定の送信スタートスピードを登録する画面の一例が図２に示した設定画面である。ここでは、４つのスタートスピードがスタートスピード選択キー1001で選択できるようになっている。図２では9600bpsが選択されている場合を示している。なおキャンセルキー1002は設定をキャンセルしてこの送信スタートスピード設定画面を抜ける時に使用される。またOKキー1003は、設定を反映（すなわち登録）して、この送信スタートスピード設定画面を抜ける時に使用される。この設定画面で設定された送信スタートスピードは、不揮発性記憶たとえばバックアップされたRAM106やHDD107等に送信スタートスピード1071として記憶される。そして、新規宛先への送信時に読み出されて送信（相手とのネゴシエーションを含む）のために用いられる。もちろん選択できる送信スタートスピードは、装置に応じて変えることができる。なお、装置設定の送信スタートスピードのデフォルト値はどのように定めてもよいが、たとえば設定可能な値のうちの最大とする。
【００２１】
＜アドレス帳への送信スタートスピードの設定＞
一方アドレス帳の宛先ごとにも送信スタートスピードを登録できる。図３（ａ）ではアドレス帳の各アドレスに下記の事項を設定する。なお図３（ａ）のユーザインターフェースは、たとえば操作／表示部（すなわち操作パネル）102の初期画面から、所定の操作シーケンスでアドレス帳への新規登録を選択することで表示される。
・名称：登録後、宛先を名称で確認できるようにするもので、名称入力キー301を押下し、名称入力し、入力した名称を名称確認画面302で確認する。
・宛先（電話番号）：テンキーなどで電話番号を入力し、入力した番号は宛先確認画面303で確認する。宛先には、ポーズキー304の押下によるポーズ、スペースキー305の押下によるスペース、トーンキー309の押下によるトーンも入力可能である。更に、カーソル移動キー307、バックスペースキー306は入力した宛先のカーソル移動、削除に用いられる。
・詳細設定：詳細設定キー310が押下された場合に、より詳細な設定を行う画面に遷移する。これは図３（ｂ）を参照して後述する。
更に、キャンセルキー308は登録をキャンセルするキーで、OKキー311は設定確定するキーであり、どちらも押下された場合はアドレス帳登録画面を抜ける。
【００２２】
図３（ａ）の詳細設定キー310を押下すると図３（ｂ）の詳細設定画面に遷移する。この画面では以下を設定する。なお図３（ｂ）は、以下で説明する送信スタートスピード選択エリア321が表示された状態を示す。設定をアドレス帳1072に保存する場合には下記の設定を行った後にＯＫキー319を、設定を保存しない場合にはキャンセルキー318を押すことで、設定を保存したまたは保存することなく図３（ａ）の画面に戻る。
・Fコード、パスワード：ファクシミリ規格で規定されたコードである。コード入力は、Fコード入力キー321又はパスワード入力キー322を押下しコード入力状態にし、テンキーなどでコードを入力し、入力したコードをFコード確認画面323又パスワード確認画面324で確認する。更に、Fコード、パスワードは入力中にスペースキー325押下でスペースの入力が、バックスペースキー326で１文字削除ができる。
・ECM通信（ON／OFF）：前述したECM、非ECM通信を選択する。ECM ON/OFF設定キー327の押下で選択される。
・送信スタートスピード：前述した送信スタートスピードの設定である。送信スタートスピードキー330のプルダウンメニューを押した時の画面を図３（ｂ）に示す。このプルダウンメニューを押すと、選択できるスピードが図のようにプルダウンして送信スタートスピード選択エリア331が出現し、その中から所望のスピードを選択する。図３（ｂ）は、選択可能なスピードが33600bps、14400bps、9600bps、4800bpsであり、そのうち9600bpsが選択されている状態を示す。なお図４で説明するように、アドレスを新規に追加する場合には、項目ごとに予め定めた初期値が設定される（項目によっては初期値が設定されないものもある）。そして、アドレスの新規追加時に表示される、送信スタートスピードの初期値は、デフォルト値（既定値）として設定された値である。本実施形態では、図２を介して設定された装置ごとの送信スタートスピードがデフォルト値として読み出され、表示される。このように宛先に対応する送信スタートスピードはアドレス帳の一部として設定されている。
【００２３】
このように、本実施形態では、宛先登録の詳細登録で設定する送信スタートスピードの初期値を装置の送信スタートスピードで設定された送信スタートスピードにしている。
【００２４】
＜アドレス帳への宛先の新規登録処理＞
次にフローチャートを用いてアドレス帳への宛先登録手順を説明する。
図４は、宛先の新規登録及び編集のための動作フローを表すフローチャートである。
アドレス帳への新規宛先登録が選択された場合に、Step401から処理が開始される。Step402で、アドレス帳に新規宛先のレコードを追加し、当該レコードに新規宛先登録時の各種設定（送信スタートスピード、ECM ON/OFFなど）の初期値を設定する。ここで送信スタートスピードの初期値は、装置に設定されたスタートスピード1071が設定される。
次に、Stpe403で図３（ａ）のアドレス帳宛先登録画面を表示する。次にStep404で何らかのキーが押されたかどうかを判定し、押された場合Step405で押されたキーが詳細設定キーであるかどうかを判定する。詳細設定キー310が押された場合に、Step410で図３（ｂ）の詳細設定画面表示に切り替える。詳細設定画面での動作は後述する。
【００２５】
Step405で詳細設定キー以外のキーが押されたと判定した場合に、Step406でキャンセルキーが押されたかどうかを判断し、キャンセルキー押下の時には処理を終了する。キャンセルキー以外のキー押下であればStep407でOKキーが押下されたか判定し、OKキーが押下されたと判定した場合は、Step409でそれまでにこの画面で設定され一時記憶された値を本設定としてアドレス帳に上書きし、処理を終了する。この画面では設定変更された場合に、その変更された設定値を一時記憶しておき、最終的にOKキー押下で設定変更が確定した時に、一時記憶した値を本設定として上書くことで設定の変更を実現している。Step407でOKキー押下でないと判断されると、詳細設定キー、キャンセルキー、OKキー以外のキー操作が行われているので、そのキーに従った動作をStep408で行い、次のキー操作を待つためStep404のキー押下検出に戻る。このその他のキー操作に、宛先（電話番号）や名称の登録が含まれる。たとえば、宛先は宛先確認画面エリア303をタッチし、テンキー、ポーズキー、スペースキー、トーンキーなどで入力される。
【００２６】
Step405で詳細設定キーが押されたと判断すると、Step410で表示／操作部102の表示を、図３（ｂ）の詳細設定画面に切り替える。ただしこの時点では図３（ｂ）に示した送信スタートスピード選択エリア331は表示されていない。そのためFコード入力キー321およびFコード確認画面323、パスワード入力キー322、パスワード確認画面324が送信スタートスピード選択エリア331に覆われることなく表示される。このとき表示される詳細設定画面には、Step402で読み出した送信スタートスピード、ECM ON/OFFなどの初期値が設定された状態で表示される。
【００２７】
次にこの詳細設定画面で何らかのキー操作が行われたかどうかをStep411で検出し、何らキー操作がなかった場合は、キー操作をStep411で待つ。
何らかのキー操作が検出された場合には、Step412でキー操作が送信スタートスピードの選択キー（プルダウンメニュー）330であった時には、Step413で送信スタートスピードのポップアップを出す。そして、それと同時に、その設定値（すなわち、Step402で読み出した送信スタートスピードの初期値）をハイライト表示する。
図３（ｂ）の例では、初期値は図２で設定された9600bpsになっているため、送信スタートスピード選択エリア331に表示する9600bps部分をハイライト表示し初期値と認識させている。
【００２８】
次にStep414で送信スタートスピードが変更されたかどうかを判断する。これは、送信スタートスピード選択エリア331から9600bps以外の送信スタートスピードが選択されたかどうかで判断する。ここで変更されたと判断した場合には、その値を一時記憶する。Step414で設定変更がない場合、たとえば、送信スタート選択キーのプルダウンメニューが押下された時に変更しなかった場合には、Step411のキー入力検知に戻る。
Step412で送信スタートスピード選択キー以外が押されたと判断した場合には、Step416でキャンセルキー338が押されたかを判定する。そして、キャンセルキーが押されたと判定した場合には、それまでに設定変更され一時記憶していた値を無視して（すなわち廃棄して）Step403のアドレス帳宛先登録画面に戻る。
【００２９】
Step416でキャンセルキー338が押されていないと判定した時には、Step417でOKキー339が押されたかを判定する。そして、OKキー339が押された場合には、Step418でそれまでに一時記憶した値を本設定としてアドレス帳1072に上書きし、Step403へ戻りアドレス帳宛先登録画面に戻りStep404でキー入力待ちになる。
Step417でOKキー以外のキー操作を検出した時には、Step419でその他のキー操作（図３のFコード入力キー、パスワード入力キー、スペースキー、バックスペースキー、ECM ON/OFF設定キー操作など）に応じた処理を行う。そして、Step411でのキー入力検出場面に戻る。
【００３０】
このように図４の手順により、アドレス帳への宛先登録時に送信スタートスピードを設定する際に、設定する送信スタートスピードの初期値を、装置設定の送信スタートスピードへと一律に設定する。そのため、宛先登録時にいちいち送信スタートスピードを変更しなくとも、ファクシミリ装置の性能や環境に応じた送信スタートスピードを簡単に登録することが可能になった。
【００３１】
＜アドレス帳の編集処理＞
更に本実施形態では、一旦登録した宛先を変更（編集）する機能を有している。図５は、宛先編集画面に遷移するための宛先リスト表示画面である。図５の画面は、たとえば表示／操作部102上に表示されたユーザインターフェース上で、所定の手順で操作を行ってアドレス帳の宛先リストの表示を指示した際に表示される。宛先リスト表示部501にすでに登録された宛先のリストが表示されている。このリストから編集したい宛先を選択（宛先エリアを触れる）し、宛先編集キー502でその宛先の編集画面図６へ遷移する。閉じるキー503は図６の宛先リスト画面を閉じるキーである。
図５で宛先編集キー502が指示された場合には、選択されている宛先を編集対象として、図６の宛先編集画面に遷移する。この画面は、先に図３（ａ）で説明した新規宛先登録画面と同一であり、各構成要素601-611は図３（ｂ）と同じである。編集対象として選択された宛先のレコードから読み出された項目の値（たとえば既に登録された宛先や名称）が表示されその編集を行う画面になっている。図では名称：九州支店、宛先：011234567が既に登録されている。
ここで、図６の詳細設定キー610が押下されると、図３（ｂ）の詳細設定画面に遷移し、図３（ｂ）で説明した手順で送信スタートスピードを変更できる。
【００３２】
図４に、登録された宛先の編集（修正）場面のフローチャートを示す。宛先編集キー502が押されると図４のStep421から処理が開始される。そしてStep422において、編集対象として選択された宛先のレコードに設定された各項目の値を読み出す。その後はStep403に分岐して、Step403以下、既に説明した要領で処理が遂行される。その中で、宛先ごとの送信スタートスピードを、プルダウンメニューとして表示される候補の中から選択し、変更することができる。  このように本実施形態では更に、一度宛先に登録した送信スタートスピードを後から設定変更できる。このため、宛先毎に異なる送信スタートスピードを設定でき、相手先機器の能力や相手先までの経路の状況に従って臨機応変に送信スタートスピードを設定できる効果がある。
【００３３】
［変形例１］
ファクシミリ送信時に、アドレス帳で宛先ごとに指定された送信スタートスピードと、装置設定として指定された送信スタートスピードとを比較し、より小さい方の送信スタートスピードを、当該ファクシミリ送信のために適用してもよい。これは、宛先ごとの送信スタートスピードの設定においては、装置設定の送信スタートスピードを上回る値が設定されることがあり得るためである。装置設定の送信スタートスピードは、そのファクシミリの装置自体または接続された通信環境による制限に基づいて決定されていると考えられる。そのため、装置設定の送信スタートスピードを上回る送信スタートスピードでファクシミリ送信を試みても、エラーの発生や送信失敗となる可能性が高いと考えられる。そこで、アドレス帳で宛先ごとに指定された送信スタートスピードと、装置設定として指定された送信スタートスピードとが相違する場合には、より低い方の速度を採用する。このように構成することで、ファクシミリ送信のために適用する送信スタートスピードが装置設定の送信スタートスピードを超えることを防止できる。加えて、環境等の変化に応じて装置設定の送信スタートスピードが設定変更された場合、その変更に応じて、送信に用いる送信スタートスピードを柔軟に変更できる。
【００３４】
［変形例２］
また、上記例は送信時に送信スタートスピードを装置設定の値に制限するものであるが、宛先ごとの送信スタートスピードの設定時に制限することもできる。たとえば、図４のステップＳ４１３において送信スタートスピードの選択肢を表示する際に、その選択肢に含まれた、送信スタートスピードを超える値をグレイアウトして選択不可としておく。すなわち、新規に宛先を登録する際の送信スタートスピードの初期値を上限値として、送信スタートスピードの設定を許す。これにより装置設定の送信スタートスピードを超える値が宛先ごとの送信スタートスピードとして設定されることを防止できる。
【００３５】
［変形例３］
図４のStep402において各項目の初期値を設定する際に、送信スタートスピードの初期設定値を、速度を示す値そのものではなく、装置設定の送信スタートスピード1071を送信スタートスピードとする旨のコードとしても良い。その場合には、送信スタートスピード選択エリア331を表示する際にも、その装置設定の送信スタートスピード1071を初期値とする旨の選択肢が、設定済みの値として表示される。装置設定の送信スタートスピード1071を送信スタートスピードとする旨の設定がされている場合には、たとえばファクシミリ送信時に、指定された宛先に対応する送信スタートスピードとしてその設定されているか判定する。そして該当する場合には、装置設定の送信スタートスピードを読み取って、その宛先へのファクシミリ送信のために用いる。このように構成することで、装置設定の送信スタートスピードを超える値が宛先ごとの送信スタートスピードとして設定されることを防止できる。さらに、装置設定の送信スタートスピードを変更することで、各宛先の送信スタートスピードも併せて変更することができる。また、ファクシミリ装置を、より高性能のファクシミリ装置に交換し、それに伴うアドレス帳のインポートを行った場合にも、送信スタートスピードの向上をファクシミリ装置の設定に対して簡単に反映できる。
【００３６】
［変形例４］
また、上記変形例において、送信スタートスピード選択エリア331において、設定されている宛先の送信スタートスピードとして、装置設定の送信スタートスピードを用いることが選択された場合に、次のように制御してもよい。すなわち、その旨を示すコードではなく、装置設定の送信スタートスピードの値そのものを宛先に対応付けて登録してもよい。このように構成すれば、ファクシミリ送信時の手順は従来のままでよい。
【００３７】
［その他の実施例］
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３８】
１０００  通信装置、１０１  CPU、１０２  表示／操作部、１０３  スキャナ部、１０４  印刷部、１０５  ROM、１０６  RAM、１０７  HDD、１０８  通信制御部、１０１０  PSTN網、２０００  通信装置（G3FAX）
【図１】
2017135662.tif 000003
【図２】
2017135662.tif 000004
【図３】
2017135662.tif 000005
【図４】
2017135662.tif 000006
【図５】
2017135662.tif 000007
【図６】
2017135662.tif 000008